(57)【要約】  含有されているDNAが紫外線、熱、酸、アルカリ等の外部刺激によっても分解されにくいインクを提供する。また、簡単にインク組成物中のDNAを分析する方法を提供する。DNAを含み、一定以上の耐水性を有するインク組成物を調製する。さらに、このようなインク組成物を用いて作成した印字中のDNAを、水または水溶液を用いて、迅速に抽出し分析する。さらにまた、ＤＮＡを含む油性および水性インク組成物を用いて作成した印字中のDNAを、水または水溶液を用いて、迅速に抽出し分析する。【特許請求の範囲】
【請求項１】
DNAを含む耐水性インク組成物。
【請求項２】
前記耐水性インク組成物が、耐水性インクとDNAとの混合物である請求項1記載の耐水性インク組成物。
【請求項３】
水、着色料、樹脂、およびDNAを含む、請求項１または２記載の耐水性インク組成物。
【請求項４】
前記樹脂が、ウレタン系樹脂、アクリル系樹脂、およびエポキシ系樹脂からなる群より選択される少なくとも1種である、請求項３記載の耐水性インク組成物。
【請求項５】
ＤＮＡの含有量が、インク組成物１μｌ当たり3x10-10μg以上20μg以下である、請求項１から４までのいずれかに記載のインク組成物。
【請求項６】
媒体上の印字からDNAを抽出する方法であって、請求項１から５までのいずれかに記載のインク組成物を用いて作成された印字と水または水溶液とを接触させる工程を含む方法。
【請求項７】
前記媒体が、紙、プラスチック樹脂、布地、金属、および食品からなる群より選択される１種である、請求項６記載の方法。  
【請求項８】
媒体上の印字の真贋を鑑定する方法であって、
・  請求項1から５までのいずれかに記載のインク組成物を用いて作成された印字と水または水溶液とを接触させる工程；
・  該印字と水または水溶液とを接触させることによって得られるDNA含有水溶液を調製する工程；および
・  調製したDNA含有水溶液中のDNAを分析する工程、
を含む、方法。
【請求項９】
前記媒体が紙、プラスチック樹脂、布地、金属、および食品からなる群より選択される１種である、請求項８記載の方法。
【請求項１０】
媒体上の印字からDNAを抽出する方法であって、DNAを含む油性インクまたは水性インク組成物を用いて作成された印字と水または水溶液とを接触させる工程を含む方法。
【請求項１１】
前記媒体が、紙、プラスチック樹脂、布地、金属、および食品からなる群より選択される１種である、請求項１０記載の方法。  
【請求項１２】
媒体上の印字の真贋を鑑定する方法であって、
１）DNAを含む油性インクまたは水性インク組成物を用いて作成された印字と水または水溶液とを接触させる工程；
２）該印字と水または水溶液とを接触させることによって得られるDNA含有水溶液を調製する工程；および
３）調製したDNA含有水溶液中のDNAを分析する工程、
を含む、方法。
【請求項１３】
前記媒体が紙、プラスチック樹脂、布地、金属、および食品からなる群より選択される１種である、請求項１２記載の方法。
【発明の詳細な説明】
【技術分野】
【０００１】
本発明は、文字、画像、各種コードを記載または印刷する際に使用され得るDNA含有インク組成物に関する。より詳細には、例えば、有価証券、カード、食品、車の塗装部分などの印刷に用いられ、朱肉、各種着色具による個人認証や真贋鑑定に好適なDNA含有インク組成物、およびそれを用いた簡易なDNA抽出方法に関する。
【背景技術】
【０００２】
現在、ＤNAを用いて、その識別力の高い特有な部分による犯罪捜査や親子鑑定などの個人認証が行われている。近年、このような用途に加え、ＤＮＡを含んだインクで小切手、紙幣、各種証明書、カード類を印刷等して偽造に対処する、真贋鑑定方法も考えられている。例えば、ＤＮＡ分子とカチオン性界面活性剤とを混合した個人識別用ＤＮＡインクを用いて薄膜パターンを形成し、形成されるパターンを個人識別情報として利用することが開示されている（特許文献１参照）。この方法では、ＤＮＡ分子が薄膜状に展開されて形成する複雑な薄膜パターンを識別情報として光学的に検知するものであり、ＤＮＡ分子の有する固有の生体情報を利用するものではない。【０００３】
予め塩基配列が判明している特定のＤＮＡ断片の塩基配列を指標に、押印、あるいは筆跡の真贋を鑑定する方法も開示されている（例えば、特許文献２）。一方、界面重合法などによってプラスチック樹脂製のマイクロカプセルやゲル物質の中にDNAを封入したものやプラスチック樹脂の超微粒子の表面にDNAを結合させたものを予め作製し、これらをインクに混ぜ込むようにしたものもある（特許文献３および４）。【０００４】
上記のようなDNA含有インクを用いた技術は、いずれもＤＮＡを利用する点において従来の認証システムと異なり注目すべきであるが、印刷されたインク内のDNAが光、紫外線、熱、酸、アルカリ等の外部刺激により分解されてしまう場合が多い。その為、DNAを直接インクに含有させると印字後すぐにDNA量が減少して検出が難しくなる。また、マイクロカプセルなどに封入したり、粒子などの担体に担持させて含有させる方法によれば、外部刺激への耐性はあがるものの、例えば印字後のインク内のＤNAの検出に1日以上の時間がかかるのが現状である。【０００５】
【特許文献１】特開２００２−１６７５３０号公報
【特許文献２】特開２００５−２４７９００号公報
【特許文献３】特開２００４−１７５９２２号公報
【特許文献４】特開２００４−３３１８３２号公報
【発明の開示】
【発明が解決しようとする課題】
【０００６】
このように、DNAは、紫外線、熱、酸、アルカリ等の作用で分解しやすい問題があり、インクに混ぜて印刷物の作成に使用すると、分析時に識別可能な状態ではなくなる可能性がある。さらに、印字後のDNAの回収には複数の工程が必要で困難を伴う。印字後DNAの識別力を良好に保持し、分析するにあたっては迅速かつ簡単な方法が適用できるようなDNAインク組成物およびその分析方法の確立の必要性があったにもかかわらず、DNAを確実に検出する為のインク組成物およびその方法は見出されていない。そのため、この解決法が要望されていた。
【課題を解決するための手段】
【０００７】
本発明者らは、紫外線、熱、酸、アルカリ等の外部刺激にも耐えうるDNA含有インク組成物および簡便なDNA検出方法を提供すべく鋭意研究を行った結果、外部刺激に強く、しかも印字後簡単にDNAを抽出し得るインク組成物を見出し、これを用いた検出方法等を確立して、本発明を完成した。【０００８】
すなわち本発明では、DNAを含む耐水性インク組成物を提供する。【０００９】
上記耐水性インク組成物は、耐水性インクとDNAとの混合物であり得る。【００１０】
上記耐水性インク組成物は、水、着色料、樹脂、およびDNAを含む、組成物であり得る。【００１１】
上記樹脂は、ウレタン系樹脂、アクリル系樹脂、およびエポキシ系樹脂からなる群より選択される少なくとも1種であり得る。【００１２】
上記ＤＮＡの含有量は、インク組成物１μｌ当たり3x10-10μg以上20μg以下であり得る。【００１３】
本発明はまた、媒体上の印字からDNAを抽出する方法であって、上記のいずれかのインク組成物を用いて作成された印字と水または水溶液とを接触させる工程を含む方法を提供する。【００１４】
上記媒体は、紙、プラスチック樹脂、布地、金属、および食品からなる群より選択される１種であり得る。【００１５】
本発明はまた、媒体上の印字の真贋を鑑定する方法であって、
・  上記いずれかのインク組成物を用いて作成された印字と水または水溶液とを接触させる工程；
・  該印字と水または水溶液とを接触させることによって得られるDNA含有水溶液を調製する工程；および
・  調製したDNA含有水溶液中のDNAを分析する工程、を含む方法、を提供する。【００１６】
上記媒体は、紙、プラスチック樹脂、布地、金属、および食品からなる群より選択される１種であり得る。【００１７】
本発明はまた、媒体上の印字からDNAを抽出する方法であって、DNAを含む油性インクまたは水性インク組成物を用いて作成された印字と水または水溶液とを接触させる工程を含む方法、を提供する。【００１８】
上記媒体は、紙、プラスチック樹脂、布地、金属、および食品からなる群より選択される１種であり得る。【００１９】
本発明はまた、媒体上の印字の真贋を鑑定する方法であって、
１）DNAを含む油性インクまたは水性インク組成物を用いて作成された印字と水または水溶液とを接触させる工程；
２）該印字と水または水溶液とを接触させることによって得られるDNA含有水溶液を調製する工程；および
３）調製したDNA含有水溶液中のDNAを分析する工程、を含む方法、を提供する。【００２０】
上記媒体は、紙、プラスチック樹脂、布地、金属、および食品からなる群より選択される１種であり得る。
【発明の効果】
【００２１】
本発明の耐水性インク組成物は、紫外線、熱、酸、アルカリ等の外部刺激に強く、印字後、長時間放置してもDNAが分解される割合を低く抑えることができる。また、水または水溶液により短時間で簡単にインク組成物中のDNAが抽出され得る。さらに、本発明の耐水性インク組成物を使用すれば、同じ印刷物から数回に渡りDNAを回収することが可能である。従って、本発明の耐水性インク組成物を用いて、例えば、非常に優れた印刷物の真贋鑑定系の確立が可能となる。【００２２】
さらに、本発明では、DNAを含む油性インクまたは水性インク組成物についても、水または水溶液によりインク組成物中のDNAが抽出され得ることを見出し、この方法を適用することで、従来よりも簡単にＤＮＡ抽出および分析を行うことが可能になった。
【図面の簡単な説明】
【００２３】
【図１】ＤＮＡと黄色素とを含有する水性インク組成物からＤＮＡを回収し、ＰＣＲ分析を行った結果を示す。
【図２】ＤＮＡと黒色素とを含有する水性インク組成物からＤＮＡを回収し、ＰＣＲ分析を行った結果を示す。
【発明を実施するための最良の形態】
【００２４】
以下、本発明を詳細に説明する。【００２５】
本発明の用語「耐水性インク組成物」とは、従来の水性インクや油性インクのカテゴリーに入らない、「耐水性」と表示され得るようなインク組成物を言う。本明細書で「耐水性インク組成物」という時は、DNA、染料または顔料等の着色料、染料または顔料定着材用の樹脂および水を含み、適宜、防腐剤、水溶性有機溶剤、界面活性剤、ｐＨ緩衝剤等その他の添加物を含む組成物であって、かつ、以下の条件を満たす。【００２６】
すなわち、常温（25℃）の水をインク組成物に対して５重量％以上含む（混和する）ことができ、常温（25℃）の水（水道水、蒸留水、脱イオン水など）中に印刷物を48時間浸漬後取り出し、ポリエステル100%の布でこすり、インクの剥落を調べた場合に、ポリエステルの布にインクが浸透せず、印刷物の滲みが観察されないようなインク組成物である。容易にポリエステルの布にインクが浸透するか、印刷物が滲む場合は、「水性インク組成物」となる。【００２７】
本発明のインク組成物に含まれるDNAは、限定はされず、例えば人間の遺伝子、動物または微生物の遺伝子に由来する天然由来のDNA、あるいは合成DNAのいずれも使用でき、1本鎖または2本鎖のいずれも使用できる。分子量も限定されず、１０ベース程度の短鎖から、２００ベースあるいはそれ以上の中長鎖のDNA断片でもよい。通常は、２０ベースから１００ベース程度のDNA断片が使い易く、その中から目的に応じて適宜選択することができる。天然由来のDNAを用いる場合は、細胞の全ＤＮＡの塩基配列の内、遺伝子領域あるいは例えばマイクロサテライト領域などの遺伝子間領域を利用し得る。合成DNAを用いる場合は、例えば所望のDNAを市販のDNA合成機で合成し、精製して得ることができる。所望のDNAは、天然由来のDNAと同じあるいは類似の配列でも、全く異なる配列でも、本発明に好適に用いられ得る。ここで、インク組成物は、耐水性インク組成物、油性インク組成物、水性インク組成物のいずれをも指す。【００２８】
本発明のＤＮＡ断片の含有量は、インク組成物１μl当たり3x10-10μg以上20μg以下であり、好ましくは、１ng〜1μｇであり、より好ましくは、10 ng 〜5000ngである。ここで、インク組成物は、耐水性インク組成物、油性インク組成物、水性インク組成物のいずれをも指す。【００２９】
本発明の耐水性インク組成物は、限定はされないが、市販の耐水性インクにDNAを混合して調製することができる。あるいは、DNA、染料または顔料などの着色料、染料または顔料定着材用の樹脂、水および適宜、防腐剤、水溶性有機溶剤、界面活性剤、ｐＨ緩衝剤等その他の添加物を混合し、耐水性インク組成物とする。【００３０】
ここで、本発明の用語「耐水性インク」とは、従来の水性インクや油性インクのカテゴリーに入らない、「耐水性」と表示され得るような耐水性インクを言う。好ましくは、本明細書で「耐水性インク」という時は、着色料、染料または顔料定着材用の樹脂および水を含み、適宜、防腐剤、水溶性有機溶剤、界面活性剤、ｐＨ緩衝剤等その他の添加物を含むインクを指す。本明細書における「耐水性インク」は、以下のパラメータを満たす。【００３１】
すなわち、常温（25℃）の水をインクに対して５重量％以上含む（混和する）ことができ、常温（25℃）の水（水道水、蒸留水、脱イオン水など）中に印刷物を48時間浸漬後取り出し、ポリエステル100%の布でこすり、インクの剥落を調べた場合に、ポリエステルの布にインクが浸透せず、印刷物の滲みが観察されないようなインクである。容易にポリエステルの布にインクが浸透するか、印刷物が滲む場合は、「水性インク」となる。【００３２】
また、特に限定はされないが、「耐水性インク」は、例えば、不揮発成分を44.0〜46.0（Wt％）含み、粘度が75〜700 （CP/25℃）であり、かつpH: 7.5〜9.0 (25℃)であり得る。この時の粘度は、ＴＯＫＩＭＥＣ社製ＢＨ型回転粘度計を用いて、２５℃に温度調整した組成物の粘度を回転ローターを回転数２０ｒｐｍとして測定する。【００３３】
本明細書で「油性インク」というときは、油溶性樹脂、アルコールなどの有機溶剤、顔料あるいは染料を含み、速乾性を有し、水には溶解しない、通常の油性インクを指す。常温（25℃）の水をインクに対して５重量％以上含む（混和する）ことができず、常温（25℃）の水（水道水、蒸留水、脱イオン水など）中に印刷物を48時間浸漬後取り出し、ポリエステル100%の布でこすり、インクの剥落を調べた場合に、ポリエステルの布にインクが浸透せず、印刷物の滲みが観察されないようなインクである。【００３４】
本発明の耐水性インク組成物に含まれる着色剤としては、染料あるいは顔料が使用できる。顔料の種類を選択することで、透明のインクも用いられうる。【００３５】
染料は、インクの組成分として直接溶解して用いてもよいし、無機質または有機質の微粒子に担持あるいは含ませて用いてもよい。【００３６】
本発明の耐水性インク組成物に含まれる染料としては、必要に応じて他の色材と混合して用いることができる。用いられる水溶性染料としては、カラ−インデックスにおいて酸性染料、直接性染料、塩基性染料、反応性染料、食用染料に分類される染料で耐水、耐光性が優れたものが用いられる。【００３７】
本発明の耐水性インク組成物に含まれる着色材は、有機顔料または無機顔料でもよい。有機顔料としては、アゾ系、フタロシアニン系、アントラキノン系、ジオキサジン系、インジゴ系、チオインジゴ系、ペリレン系、イソインドレノン系、アニリンブラック、アゾメチン系、ロ−ダミンＢレ−キ顔料、カ−ボンブラック等が挙げられ、無機顔料としては、酸化鉄、酸化チタン、炭酸カルシウム硫酸バリウム、水酸化アルミニウム、バリウムイエロ−、紺青、カドミウムレッド、クロムイエロ−、金属粉が挙げられる。【００３８】
本発明の耐水性インクの調製に用いられる染料または顔料定着材用の樹脂は、耐水性インクの製造に通常使用され得る樹脂であれば特に限定されないが、好ましくは、ウレタン系樹脂またはアクリル系樹脂、エポキシ系樹脂である。樹脂の含有割合は、好ましくは、インク組成物全体の３重量％から７０重量％、より好ましくは、５重量％から５０重量％である。【００３９】
本発明の耐水性インク組成物の成分として、界面活性剤を使用することができ、界面活性剤によって記録紙への濡れ性を改善することができる。好ましい界面活性剤としては、ポリオキシエチレンアルキルエーテル酢酸塩、ジアルキルスルホ琥珀酸塩、ポリオキシエチレンアルキルエーテル、ポリオキシエチレンアルキルフェニルエーテル、ポリオキシエチレンポリオキシプロピレンブロック共重合体、アセチレングリコール系界面活性剤等が挙げられる。【００４０】
更に、本発明の界面活性剤の対イオンとして、リチウムイオン、あるいは第４級アンモニウム、第４級ホスホニウムを用いることにより、界面活性剤が優れた溶解安定性を示す。【００４１】
更に、本発明の耐水性インク組成物の成分として、表面張力を調整する目的から浸透剤を用いることもできる。【００４２】
その他ｐＨ調整剤としては、調合されるインク に悪影響をおよぼさずにｐＨを適宜調整できるものであれば、任意の物質を使用することができる。その例として、ジエタノ−ルアミン、トリエタノ−ルアミン等のアミン、水酸化リチウム、水酸化ナトリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。【００４３】
また、本発明のＤＮＡインク組成物には、従来から知られている防腐防黴剤、防錆剤や他の添加剤を加えることができる。例えば、防腐防黴剤としてはデヒドロ酢酸ナトリウム、ソルビン酸ナトリウム、２−ピリジンチオ−ル−１−オキサイドナトリウム、安息香酸ナトリウム、ペンタクロロフェノ−ルナトリウム、イソチアゾリン等が本発明に使用できる。【００４４】
防錆剤としては、例えば、酸性亜硫酸塩、チオ硫酸ナトリウム、チオジグリコ−ル酸アンモン、ジイソプロピルアンモニイウムニトライト、四硝酸ペンタエリスリト−ル、ジシクロヘキシルアンモニウムニトライト等がある。【００４５】
その他目的に応じて、水溶性紫外線吸収剤、水溶性赤外線吸収剤、消泡剤を添加することもできる。【００４６】
消泡剤としては、油脂系、脂肪酸系、脂肪酸エステル系、アルコール系、リン酸エステル系、アミン系、アミド系、金属石鹸系、硫酸エステル系、シリコーン系等が挙げられる。これらは単独でもまたは二種以上で用いることができる。この中でも、シロキサン結合を有するシリコーン系消泡剤が、インク タンクのスポンジ吸収体負圧制御の容易性から好ましい。特にポリエチレンオキサイド及び／又はポリプロピレンオキサイドを付加したポリシロキサン系消泡剤が有効である。【００４７】
さらに本発明の耐水性インク組成物は、アルコール類を含んでいてもよい。アルコールとしては、メタノール、エタノール、イソプロパノールなどが挙げられ、含有割合は、インク組成物全体の０重量％から70重量％の範囲であればいずれでもよい。【００４８】
このようにして調製される本発明のDNA含有インク組成物を適宜媒体上に印字することにより、識別可能な文書、印刷物等を作成することが可能である。ここで、「印字する」とは、インクを使用して印刷するような態様のみならず、媒体にインクを塗りつける、あるいはインクで媒体に文字等を手書きするような態様もすべて含む。このときの媒体は、紙、プラスチック樹脂、布地、金属、および食品からなる群より選択される１種が挙げられるが限定はされず、通常の印刷物に使用し得る媒体はすべて使用できる。こうして得られた印刷物等は、従来と同様に扱っても長期にわたりDNAを安定して保持できる。しかも回収も簡単で迅速な検出が可能である。【００４９】
すなわち、例えば、本発明においては、このようにして得られた媒体上の印字を水または水溶液と接触させることによって簡単にDNAを抽出または分析することができる。ここで、水溶液とは、インクに含まれる樹脂成分に影響を与えないような成分を水に加えた各種緩衝液、PCR用溶液、DNAハイブリダイゼーション用溶液あるいはそれと等価物を指す。この方法は、耐水性インク組成物を用いた印字であれば、一番好都合に使用できるが、その他、ＤＮＡを含む油性インク組成物あるいは水性インク組成物にも条件を設定することで適用することができる。【００５０】
水または水溶液との接触は、印字上に直接水滴を垂らし、1秒以上1時間以下のような短い時間、より簡便に行う場合には10秒から1分程度放置することで行い得る。水または水溶液との接触は、必要に応じて、48時間以下の時間であれば、より長い時間を設定することも可能である。【００５１】
放置後水または水溶液を回収し、含まれるDNAをPCR法などで増幅させて短時間で分析することが可能である。また、回収液を直接プローブにハイブリなども可能である。【００５２】
あるいは、印字した箇所を紙などの媒体ごと切り取り、直接PCR用の溶液などに加え、PCRを行うことも可能である。【００５３】
本発明のDNAを含有するインク組成物を用いた印字では、印字の真贋を、DNAの識別力を利用して鑑定することができる。この方法は、本発明のインク組成物を用いて作成された印字と水または緩衝液などの水溶液とを接触させること、得られるDNA含有水溶液を回収すること、水溶液中のDNAを分析することが含まれる。この方法は、耐水性インク組成物を用いた印字であれば、一番好都合に使用できるが、その他、ＤＮＡを含む油性インク組成物あるいは水性インク組成物にも条件を設定することで適用することができる。【００５４】
分析は、限定はされないが、PCＲ法によってDNAを増幅させた後、アガロースゲル電気泳動にてDNA断片の大きさを確認する方法や、塩基配列を決定して所定のDNAであることを確認する方法によって行うことができる。あるいはより簡便に、標識プローブなどを用いたハイブリダイゼーション法を用いて検出するのも好ましい。具体的には、対象のDNAの一部と相補的な配列を有する合成DNAを予め用意し、一定条件下でハイブリダイゼーションを行わせ、2本鎖の形成の有無を、例えば、金コロイド溶液による変色の有無で識別することもでき、またサイバーグリーン、サイバーセーフのような蛍光試薬で識別することができる。【００５５】
PCR法自体は周知であり、そのためのキット及び装置も市販されているので、用いるフォワード側プライマー、リバース側プライマーを合成すれば、容易に実施できる。さらに識別プローブも周知であり、対象DNAの配列に応じて適宜合成すれば、容易に実施することができる。その具体的な方法は、下記実施例にも具体的に記載されている。【００５６】
以下、実施例によって本発明を具体的に説明するが、これらは本発明の技術的範囲を限定するためのものではない。当業者は本明細書の記載に基づいて容易に本発明に修飾、変更を加えることができ、それらは本発明の技術的範囲に含まれる。
【実施例】
【００５７】
以下の実施例および比較例に用いたDNAは、配列表の配列番号１に示す85Merの（ATTAACCCTCACTAAAGGGATCAATAAAACAAAACAAAACGCGCGGCTCACGGGCGCCTAGGAGTGCCCTATAGTGAGTCGTATT）を逆相カートリッジカラムを用いて精製、脱塩したものである。また、PCRは、すべてBioline社Bio Taq  DNA ポリメラーゼを用いて、Bioline社推奨の条件下にて行った。【００５８】
（実施例１）
耐水性インク組成物の調製
耐水性インク（透明：大阪シーリング印刷株式会社より入手）とDNA溶液（10μｇ/μｌ、1μg /μｌ、100 ng /μｌ、10 ng /μl） のDNA濃度でTE（10 mM Tris-HCl, 1mM EDTA, pH 8.8）を1:1の割合で混合し、最終的なDNAの濃度が5μｇ/μｌ、500 nｇ/μｌ、50 ng/μl、5 ng/μlとなる耐水性インク組成物をそれぞれ得た。【００５９】
（実施例２）
耐水性インク組成物の調製
耐水性インク（透明：大阪シーリング印刷株式会社より入手）とDNA溶液（10μｇ/μｌ、1μg /μｌ）のDNA濃度でTE（10 mM Tris-HCl, 1mM EDTA, pH 8.8））を99:1の割合で混合し、最終的なDNAの濃度が100 nｇ/μｌ、10 nｇ/μｌとなる耐水性インク組成物をそれぞれ得た。【００６０】
（実施例3）
耐水性インクとして黒（DELETER製のコミック用黒インク耐水性BLACK4を用い、実施例１と同様にして耐水性インク組成物を得た。
（実施例4）
耐水性インクとして黒（DELETER製のコミック用黒インク耐水性BLACK4を用い、実施例2と同様にして耐水性インク組成物を得た。【００６１】
（比較例１）
油性インクおよびDNAを含むインク組成物の調製
油性透明インク（坂田インク  油性透明インクブラウン  油性透明インクホワイト）3gにDNA溶液（（10μｇDNA/μｌ  TE（10 mM Tris-HCl, 1mM EDTA, pH 8.8））10μｌを30秒程度混合し、最終的なDNAの濃度が33 μg/g  となる油性インク組成物を得た。【００６２】
（比較例２）
油性インクおよびDNAを含むインク組成物の調製
比較例１の油性インク組成物10mgにトルエンを200μｌ加え、簡単に混ぜ合わせ最終的なDNAの濃度が1.15 ng/μlとなる油性DNAインク組成物を得た。
（比較例3）
油性透明インク（坂田インク  油性透明インクブラウン  油性透明インクホワイト）10 mgにトルエン200 μlを加え、良く混ぜ、そこへDNA溶液（（1μｇDNA/μｌ  TE（10 mM Tris-HCl, 1mM EDTA, pH 8.8））を0.33μｌを30秒程度混合し、最終的なDNAの濃度が1.15 ng/μｌ  となる油性インク組成物を得た。【００６３】
（比較例4）
水性インクおよびDNAを含むインク組成物の調製
原液の水性黒色インク（DELETER製のコミック用黒インク水性BLACK3）にDNA溶液(10μｇ/μｌ、1μg /μｌ、100 ng /μｌ、10 ng /μl のDNA濃度でTE（10 mM Tris-HCl, 1mM EDTA, pH 8.8））を1:1の割合で混合し、最終的なDNAの濃度が5μｇ/μｌ、500 nｇ/μｌ、50 ng/μl、5 ng/μl  となる水性インク組成物を得た。【００６４】
（比較例５）
水性インクとして黒（DELETER製のコミック用黒インク水性BLACK３を用い、DNA溶液（10μｇ/μｌ、TE（10 mM Tris-HCl, 1mM EDTA, pH 8.8））と99:1で混ぜ合わせ、最終的なDNA濃度が100 ng/μlの耐水性インク組成物を得た。【００６５】
各実施例および各比較例におけるインクの種類、DNA含有量は、表１に示す通りである。
【表１】
2010029629.tif 000002
【００６６】
実施例および比較例で得られたインク組成物を用いて、印刷物からのDNAの回収率比較、DNA抽出時間と回収率の評価、耐紫外線分析、DNAの複数回収評価を行った。【００６７】
（DNAの回収率比較）
まず、それぞれのインク組成物に刷毛を使用して紙（コピー用紙  ジャスト）に塗布し、  室温暗所にて一晩よく乾燥させた。しかし、比較例１の油性インク組成物の場合は、インクの粘性が非常に高いため塗布してもうまく紙になじまず、操作を施すこと自体が難しかった。【００６８】
次に、得られたDNAインク印刷物から、DNAを回収し、精製を試みた。まず、塗布した部分の1cm2を使い捨ての剃刀で切り出し、さらに細かく切りながら切片を集めた。【００６９】
ここへ500μlの水を加え、さらに400μlのトルエン、100μlのメチルイソブチルケトンを加えよく混ぜた。30分室温に置き、5分間遠心、有機層、水層に分かれたところで、水層部分（下層）を回収し、フェノール/クロロフォルム抽出、エタノール沈殿法により精製した。操作は室温で行った。この回収物に目的のDNAが含まれているかどうかをPCRを用いて確認した。【００７０】
その結果、耐性インク組成物を用いた実施例１の場合には、室温の操作では、元のDNA重量と比較して、２５％から３０％程度のDNAを回収することができたが、比較例２、３の場合は、DNAの回収が確認される場合もあるが、時に回収が確認されない場合（比較例２：4回中１回比較例３：２回中１回）も生じた。さらに、比較例２、３の回収方法改良を目的に、市販されているシンナー（アサヒペン  ペイントうすめ液S）を用いて回収したが、結果に大きな変化は見られず、回収自体の確実性に乏しかった。油性インクと有機溶媒を使用したインクには極性の違いにより均一に溶かすことができず、インク中のDNA濃度にムラが生じると考えられる。【００７１】
次に、有機溶媒を使用せず、切り出した切片に水500μlを加え、30分室温に置いた後、その溶液をフェノール/クロロフォルム抽出、エタノール沈殿法により精製し、含まれるDNA量を測定することで回収量を調べた。水のみで回収した場合、実施例１の場合について、室温の操作では、元のDNA重量と比較して、３５％から４０％程度のDNAを回収することができたが、比較例２および３の場合は、DNAの回収は確認できなかった。【００７２】
（DNA抽出時間と回収率の評価）
次に水による回収について、抽出時間を変化させ調べた。実施例１のインク組成物について、抽出時間を2分、5分、10分、20分、30分とした場合を（30分については4回、他は2回）調べ、平均値を算出した。その結果を表２に示す。
【表２】
2010029629.tif 000003
また、実施例2、4では、最終DNA濃度100 ng/μlの調製物0.2 μlを4mm2にスポットし、60℃16時間で乾燥させ、１０分室温に置き、冷ましたスポットに10μlの水を置き、10秒静置、ピペッティングをスポット上で行い、一度水を回収し20秒待ち、同じ水をもう一度スポット上にのせ、ピペッティングを行い、この水に含まれるDNA量を測定した。実施例2では5回調べ、平均値を算出したところ36.8 ％のDNAが回収された。この回収液1μlを使用してPCRを行ったところ、実施例２，４ともに5回調べたうち全てで増幅は観察された。比較例５で同様の実験を行ったところ、PCRによる増幅は観察されなかった。【００７３】
この結果、本発明の耐水性インク組成物を用いた場合のＤＮＡの抽出時間は数分でも十分であり、抽出に必要とされる時間は数分で十分であることがわかった。この結果は、逆に印刷されたDNAが容易に漏れ出ていくことを示唆するものでもある。そこで、以下の評価を行った。【００７４】
（DNAの複数回にわたる回収）
実施例2、4の最終DNA濃度100 ng/μlの調製物0.2 μlを4mm2にスポットし、150℃10分で乾燥させ、一度1μlの水でスポットよりDNAを回収し、もう一度スポットを150℃10分で乾燥させ、別の1μlの水でDNAを回収、この操作を5回繰り返し、何回までPCRにより回収液中のDNAの増幅が可能であるのか調べた。この結果、実施例2の耐水性透明インクでは5回目の回収液からも1回目と同様の増幅量が観察された。これに対し、実施例4での耐水性黒色インクの場合では4回目の抽出物を使用したPCRから増幅量が極端に落ち、5回目の抽出物からはバンドが確認されない場合が生じた。耐水性透明インクでは6回目の抽出物からも増幅は観察されるが、耐水性黒色インクでは6回目でも観察される場合は多いものの、観察されない場合、観察されても量が少ない場合に分かれることが判明した。この結果、耐水性透明インクは何回も同一印刷面より解析することが可能であり、耐水性黒色インクについても3、4回の解析は可能であると思われる。また、特に耐水性透明インクにおいては、少量の水により処理した場合には少量のDNAが漏れ出てしまいはするが、解析に不可能となるほどに流出していくわけではないと考えられる。特に、耐水性透明インクの場合では（実施例２）耐水性検証により、スポットを48時間流水（水道水）により処理し、ポリエチレンの布で擦った後、もう一度乾燥させ、20μｌの水によりスポットからDNAを回収しPCRにより確認すると、3回の検証のうち、3回全てにおいて、観察された。【００７５】
（印字からの直接的なPCR法の実施）
次に、実施例１と4までの組成物をそれぞれ、2μlずつ1 cm2にできるだけ均一になるようにピペットマンを使用しながら塗り、一晩室温、暗所で乾燥させた後、剃刀を利用して、4mm2ずつ切り出し、この紙片を用いてPCRを行った。各々のPCRチューブには実施例1、3では0.4 ng、4ng、40 ng、400 ngのDNAが、実施例２、4では0.8ng、8 ng鋳型として加わったと想定される。PCR産物をアガロース電気泳動により調べると、実施例1,2,3では全ての場合において、増幅が確認されたが、実施例4では全ての場合において増幅は観察されなかった。この結果、耐水性透明DNAインクを塗布された4mm2の紙片自体を鋳型にPCRによるDNAの増幅が可能であることが判明し、耐水性黒色DNAインクでは、DNAの濃度が極端に低いと、不可能であることが判明した。また、比較例4でも同様にPCRチューブに0.4 ng、4ng、40 ng、400 ngのDNAが鋳型として加わったと想定される条件で、全ての場合において増幅は観察されなかった。【００７６】
（耐環境性評価）
さらに、実際にインクの含量を上げたことで耐環境性の向上が期待できるのかどうかを調べるため、最もDNAに影響を及ぼすであろうと考えられる紫外線に対する耐性を調べた。実施例1〜3のインク組成物を、もしくは60度で16時間乾燥させた後、紫外線照射を開始し、数時間おきに4mm2ずつ使い捨ての剃刀で切り出し、この紙片をPCRチューブに加えた。実施例４では、紙片を加えたPCRが不可能であるので、0.2 μlを4mm2にスポットし、紫外線照射を開始し、数時間おきにスポットに対し水1μｌ10秒のせ、その4mm2上で軽くピペッティングを行なった後、液を回収しPCRチューブに加え、PCRにより目的のDNAの増幅が可能であるかどうかを判断の基準とした。その結果、実施例１および３では24時間で増幅されない場合が生じるのに対し、耐水性透明インクの場合では、4mm2当たりに8 ngさらにその1/10量の0.8 ngの場合（実施例2）であっても、24時間紫外線照射ではPCRによる増幅は確実に確認され、72時間照射後にはバンドが確認されなくなるものの、48時間後でも確認される場合も生じた。さらに黒色耐水性DNAインクでは、4mm2当たり20 ng、2 ngの場合を調べたところ（実施例４）、紫外線照射48時間後でも確実にPCRによる増幅が確認でき、さらに72時間後でも増幅が確実に確認できた。【００７７】
一方、比較として、そのままDNA溶液を水で希釈し、最終DNA量100 ng/μｌ、10ng/μｌとし、これを0.2 μlを4mm2にスポットし、紫外線照射を開始し、数時間おきにスポットに対し水1μｌ10秒のせ、その4mm2上で軽くピペッティングを行なった後、液を回収しPCRチューブに加え、PCRにより目的のDNAの増幅が可能であるかどうか調べたところ、24時間紫外線照射でバンドが確認されなく場合が生じることが判明した。【００７８】
（実施例５）【００７９】
次に、上記実施例および比較例で用いたのと同じ８５べースの一本鎖DNAを、市販の青字油性インクを用いて、５段階の濃度で（３００ngDNA/gインク、１００ngDNA/gインク、３０ngDNA/gインク、１０ngDNA/gインク、３ngDNA/gインク）調製を行った。調製に際しては、インク工場レベルの条件で、すなわち、ＤＮＡとインクとの混合をよくする為に10分間混合した。この５種類のDNA濃度によるインクを用いてA4用紙一枚に“K”を６４個印刷し、それぞれ５０枚ずつ印刷を行い、紫外線照射による耐環境性試験を行った。【００８０】
UVライトは通常の殺菌灯に使われているものを使い、０時間、６時間、１８時間、３５時間、４５時間、９５時間  印刷物に照射した。照射されたサンプルは、水によるダイレクトDNAトランスファーにより印刷物を破損することなく数十秒でDNAが回収された。このDNAをPCR法にて増幅しDNAの有無をアガロースゲル電気泳動によって確認を行った。その結果インク中のDNA濃度と耐紫外線との関係は以下のようになった。
【表３】
2010029629.tif 000004
【００８１】
インクとDNAが完全には良く混ざっていない可能性が残っているが、１００ng/gインクのDNA濃度で実用に耐える印刷が可能であると考えられる。インクとDNAの混合を完全にすることで、３０ng/gインクのDNA濃度まで下げる事ができる可能性もある。【００８２】
（実施例６）
インクジェット用水性インク（シャチハタ製:黄色、黒色）を用いて、同様の実験を行った。インクジェット用水性インク(黄色又は黒色)にDNAを100 ng/μlの濃度になるように混合した。【００８３】
Canon製の空のインクジェット用カートリッジへ黄色水性DNAインク5mlを入れ、プリンター（CanonPIXUS-850i）で紙にプリントした。15枚プリントアウトし、そのうち8ページ目、9ページ目、10ページ目の印刷物から、ダイレクトDNAトランスファーによってDNAを回収した。ダイレクトDNAトランスファーは、DNAインクによって印刷された部分に、室温で一日乾燥後dH2O10 μlをのせ5秒後、5回ピペッティングし回収する方法を採用した。【００８４】
黒色水性DNAインクは、0.2μl取り、用紙にスポットし、60℃、24hrにて乾燥させた。これを上記と同じ条件で、ダイレクトDNAトランスファーすることで、ＤＮＡの回収を行った。【００８５】
次に、フィルトレーション用遠心カラムとして、TAKARA SUPREC 02を用い、回収した溶液を遠心ろ過した。まず、カラムを洗浄し、次にカラムにサンプル（回収液10μl、TE90μl）を入れ、1000gで15分間遠心ろ過して回収した（サンプルＩ）。さらにこのカラムの膜上に残った残留物をTE20μlと混合し、1000gで2分間遠心ろ過して回収したものをサンプルＩＩとした。【００８６】
DNAインクから回収したDNAのPCRを、変性温度94度、アニーリング温度55度、伸長反応温度72度で各30秒間隔で30サイクル行なった(BioTag 2.5ユニット template 1μl  total vol 50μl)。Buffer組成はメーカーのプロトコールに従った。【００８７】
3％アガロースゲル（0.5×TBE 200ml,EtBr 10μg/ml）を用いて電気泳動を行なった。
その結果を図1及び図２に示す。【００８８】
黒色水性ＤＮＡインクの場合は、比較例４および５と同様のフィルトレーションされていないレーン7〜11は全く増幅されず、フィルトレーション処理されているレーン12〜21は全て増幅が確認できた。【００８９】
インクジェット用インクが水性の場合には、色素が黒の場合には、染み出たサンプルがPCRを阻害しているが、それをろ過することで、インク成分の色素又はビヒクルによるPCR阻害が、防止できたと思われる。また、プリント時にインクジェット用インクが高圧力で小さいノズルから噴射される場合でも、DNAが切断されず、PCR反応後の電気泳動による検出結果から85ベース程度なら切断されないことが判明した。このことは現在、インクジェット方式でDNAチップの製造を行なう技術が開発されているがチップ上に100ベース以下であれば、インクジェットによってDNAが分解されることがなく、DNAチップを製造できる可能性を示唆している。またフィルターによるインク成分の除去（特に色素又はビヒクル）を除けば耐水性だけでなくあらゆるタイプのインクに対してDNAインクを製造しても、ダイレクトDNAトランスファーによってインクを回収し原則的にPCR反応によってDNAの検出が可能であることがわかった。
【図１】
2010029629.tif 000005
【図２】
2010029629.tif 000006
【配列表】
2010029629000001.app
【国際調査報告】
2010029629.tif 000007
2010029629.tif 000008
2010029629.tif 000009
2010029629.tif 000010